(57)【要約】本明細書では、広い範囲の電流をモニタリングするための改善された電流モニタリングシステムが提供される。電流モニタは、二以上の電流センサを含むことができる。電流センサの少なくとも二つは、異なる電流測定範囲と異なる電流測定感度を有することができる。各電流センサは、一以上の電流モニタリング閾値に関連付けることができる。時間遅延または時間閾値は、各電流モニタリング閾値に対応することができる。各電流センサは、可能な電流値が広い範囲を有する同一の電流をモニタすることができる。対応する時間閾値を超える時間の量の間、所定の電流閾値を超える場合、電流センサによって信号を生成することができる。生成された信号は、測定された電流が、対応する所定の時間期間のための所定の電流閾値を超えることを示すことができる。
2019511189.tif 000002
【特許請求の範囲】
【請求項１】
電源；
電源に結合したリレー；
リレーに結合した負荷、ここでリレーが閉位置にある場合にリレーが負荷を電源に結合する；
リレーに結合した電流モニタ；および
電流モニタに結合したコントローラ
を有してなり、
電流モニタは、第一電流センサおよび第二電流センサを含み、
第一および第二電流センサのそれぞれは、リレーの電流を測定し、
第一電流センサは、リレーの電流が、第一の時間の期間のための第一電流の測定範囲内の第一電流設定点を超えるときを決定し、第二電流センサは、リレーの電流が、第二の時間の期間のための第二電流測定範囲内の第二電流設定点を超えるときを決定する、装置。
【請求項２】
第一電流センサは第一電流測定感度を有し、第二電流センサは第二電流測定感度を有する、請求項１に記載の装置。
【請求項３】
第一電流測定範囲は、第二電流測定範囲よりも大きい、請求項２に記載の装置。
【請求項４】
第一電流測定感度は、第二電流測定感度よりも大きい、請求項３に記載の装置。
【請求項５】
第一の時間の期間は、第二の時間の期間未満であることを特徴とする請求項４に記載の装置。
【請求項６】
電源はバッテリーである、請求項１に記載の装置。
【請求項７】
コントローラは、エンジン制御ユニット（ＥＣＵ）である、請求項１に記載の装置。
【請求項８】
第一電流センサは、リレーの電流が第一の時間の期間のための第一電流設定点を超えるときに第一信号を生成する、請求項１に記載の装置。
【請求項９】
第一信号は、コントローラに供給される、請求項８に記載の装置。
【請求項１０】
コントローラは、第一信号の受信に基づいて、リレーを開いて電源から負荷を切り離す、請求項９に記載の装置。
【請求項１１】
第一信号は、リレーを開いて負荷から電源を切り離す、請求項８に記載の装置。
【請求項１２】
第一信号は、リレーの電流が第一の時間の期間のための第一電流設定点を超えることを示すアラーム信号を含む、請求項８に記載の装置。
【請求項１３】
第二電流センサは、リレーの電流が第二の時間の期間のための第二電流設定点を超えるときに第二信号を生成する、請求項８に記載の装置。
【請求項１４】
第二信号は、コントローラに供給される、請求項１３に記載の装置。
【請求項１５】
コントローラは、第二信号の受信に基づいて、リレーを開いて電源から負荷を切り離す、請求項１４に記載の装置。
【請求項１６】
第二信号は、リレーを開いて負荷を電源から切り離す、請求項１３に記載の装置。
【請求項１７】
第二信号は、リレーの電流が第二の時間の期間のための第二電流設定点を超えることを示すアラーム信号を含む、請求項１３に記載の装置。
【請求項１８】
第一電流センサの第一電流閾値を決定することであって、第一電流センサが第一電流測定範囲および第一電流測定感度を有する、こと；
第二電流センサの第二電流閾値を決定することであって、第二電流センサが第二電流測定範囲および第二電流測定感度を有し、第一電流閾値、第一電流測定範囲、および第一電流測定感度は、第二電流閾値、第二電流測定範囲、および前記第二電流測定感度よりも大きい、こと；
第一電流センサの第一電流閾値に対応する第一時間期間を決定すること；
第二電流センサの第二電流閾値に対応する第二時間期間を決定することであって、第二時間期間は第一時間期間よりも大きい、こと；
第一電流センサおよび第二電流センサを用いて電流を連続的にモニタリングすること；
第一時間期間を超える時間の量、電流が第一電流閾値を超えるときに第一信号を生成すること；
第二時間期間を超える時間の量、電流が第二電流閾値を超えるときに第二信号を生成すること；および
第一および第二信号の少なくとも一つをコントローラに供すること、を含む方法。
【請求項１９】
第一信号を生成することはさらに、第一時間期間を超える時間の量、第一電流閾値を超える電流を示す第一アラーム信号を生成することを含み、
第二信号を生成することはさらに、第二時間期間を超える時間の量、第二電流閾値を超える電流を示す第二アラーム信号を生成することを含む、請求項１８に記載の方法。
【発明の詳細な説明】
【技術分野】
【０００１】
本開示は、概して、センサシステムの分野に関し、より詳細には、複合電流センサを用いる電流モニタリングに関する。
【背景技術】
【０００２】
多くの従来の電流モニタリングシステムでは、広い範囲の一以上の電流がモニタされることが多い。大電流範囲を扱うために、高電流センサがしばしば使用される。しかし、これらの高電流センサは、一般に、より低い値の電流を正確に測定するのに十分に感度が高くない。より大きな感度の電流センサが代わりに使用される場合、高電流状態のため飽和状態となる高感度電流センサのリスクが増大する。全体的に、広い範囲の電流を正確に測定することは、多くの従来の電流モニタリングシステムでは不十分であることが多い。
【発明の概要】
【０００３】
この概要は、以下の詳細な説明でさらに説明される概念を簡略化した形で紹介するために提供される。この要約は、特許請求の範囲における主題の重要な特徴または本質的な特徴を特定することを意図するものではなく、特許請求の範囲を決定する助けとなるものでもない。
【０００４】
したがって、より大きな電流範囲にわたって改善された正確性および信頼性を有する電流モニタリングシステムが必要とされている。
【０００５】
いくつかの実施形態は、概して、二以上の電流センサを有する電流モニタに関する。電流センサの少なくとも二つは、異なる電流測定範囲および異なる電流測定感度を有することができる。各センサは、一以上の電流モニタリング閾値に関連付けることができる。時間遅延または時間閾値は、各電流モニタリング閾値に対応することができる。各センサは、可能な電流値の広い範囲を有する同じ電流をモニタすることができる。対応する時間閾値を超える時間の量、所定の電流閾値を超えると、電流センサによって信号を生成することができる。生成された信号は、測定された電流が対応する所定の時間の期間のための所定の電流閾値を超えたことを示すことができる。
【図面の簡単な説明】
【０００６】
例として、添付の図面を参照して、開示された装置の特定の実施形態を説明する。
【０００７】
図１は、例示的な電力分配および制御システムを示す。
【０００８】
図２は、例示的な電流モニタリングシステムを示す。
【０００９】
図３は、図２に示された電流モニタリングシステムの第一斜視図を示す。
【００１０】
図４は、図２に示された電流モニタリングシステムの第二斜視図を示す。
【００１１】
図５は、図２に示された電流モニタリングシステムの底面図を示す。
【００１２】
図６は、図２に示された電流モニタリングシステムの上面図を示す。
【００１３】
図７は、二以上の電流センサを使用して電流をモニタリングする方法の例示的なフローダイアグラムを示す。
【発明を実施するための形態】
【００１４】
本開示は、好ましい実施形態が示されている添付の図面を参照して、以下により十分に記載される。しかし、本開示は、多くの異なる形態で具体化されてもよく、本明細書に記載の実施形態に限定されると解釈されるべきではない。むしろ、これらの実施形態は、本開示が十分かつ完成してあり、開示の範囲を当業者に十分に伝えるように提供される。図面において、全体を通して、同様の参照番号は同様の成分を参照する。
【００１５】
図１は、例示的な電力分配および制御システム１００を示す。電力分配および制御システム１００は、電源１０２、リレー１０４、負荷１０６、電流モニタ１０８、およびコントローラ１１０を含むことができる。
【００１６】
電源１０２は、例えば、バッテリーとすることができる。いくつかの実施形態において、電源１０２は、自動車バッテリーであってもよい。負荷１０６は、電源１０２の下流にある電子回路および／またはデバイスを表すことができる。負荷１０６によって表されるこれらの電子要素は、電力分配および制御システム１００の通常動作中に電源１０２から電力を受け取ることができる。
【００１７】
負荷１０６は、リレー１０４によって電源１０２に結合することができる。図１に示すように、リレー１０４は電源１０２に結合され、負荷１０６はリレー１０４に結合される。リレー１０４は、電磁リレーおよび／または電気的に作動されるスイッチであり得る。リレー１０４は、保護リレーおよび／またはスイッチとして動作することができる。一例として、リレー１０４は、故障状態の発生時に負荷１０６の損傷を防止または制限するように動作することができる。故障状態は、例えば、負荷１０６に対する過電圧または過電流状態を含むことができる。
【００１８】
通常動作中、故障状態が検出または発生しない場合、リレー１０４は、電源１０２から負荷１０６へ電力を供給することができる。故障状態が検出または発生すると、リレー１０４は、負荷１０６を電源１０２から切り離すことができる。このような状況の間、リレー１０４は、負荷１０６と電源１０２との間の電気的接続を遮断することができる。そうして、リレー１０４は、過電圧または過電流状態が検出または発生しない場合に負荷１０６に電力が供給されることを保証することができ（例えば、リレー１０４が閉位置（閉状態）にある場合）、過電圧または過電流状態が検出または発生する場合に負荷１０６を絶縁して保護することができる（例えば、リレー１０４が開位置にある場合）。
【００１９】
電流モニタ１０８は、リレー１０４に結合することができる。電流モニタ１０８は、リレー１０４内の電流をモニタおよび／または測定することができる。電流モニタ１０８は、二以上の電流センサを含むことができる。電流モニタ１０８の二以上の電流センサは、電源１０２からリレー１０４を通って負荷１０６に流れる電流とほぼ同じ電流をモニタおよび／または測定するように配置または配置することができる（例えば、リレー１０４が電源１０２と負荷１０６との間に接続性を供給するときに電源１０２によって供給電流が供給される）。
【００２０】
電流モニタ１０８の二以上の電流センサは、異なる電流測定範囲および電流測定感度を有することができる。電流センサの電流測定範囲は、電流センサが電流を正確に検出、測定、またはモニタすることができる電流の範囲とすることができる。電流センサの電流測定感度は、電流センサの精度または測定グラデーション（gradation）のレベルとすることができる。一例として、電流モニタ１０８の電流センサの一つは、−３００アンペア（Ａ）〜３００Ａの電流測定範囲と１Ａの電流測定感度を有することができる。このように、この例では、電流モニタ１０８は、−３００Ａから３００Ａの間の任意の値を１Ａの精度（例えば、１Ａ間隔）でリレー内の電流を測定することができる。
【００２１】
電流モニタ１０８内の二以上のセンサは、リレー１０４の電流が一以上の閾値を超えるときを判定することができる。リレー１０４の電流が所定の閾値を超えたことを検出すると、電流モニタ１０８は、閾値を超えたことを示す信号を生成することができる。生成した信号はコントローラ１１０に供給されることができる。コントローラ１１０は、電力分配および制御システム１００の動作を制御およびモニタすることができる。例えば、コントローラ１１０は、リレー１０４の動作を制御することができる。具体的には、コントローラ１１０は、リレー１０４が電源１０２と負荷１０６との間に電気的接続を供給するときおよびリレー１０４が負荷１０６を電源１０２から切り離すときを制御する。
【００２２】
コントローラ１１０は、電流モニタ１０８からの信号の受信に基づいて、リレー１０４を制御することができる。例えば、電流モニタ１０８からの信号を受けて、リレー１０４内の電流によって一以上の電流閾値が超過された場合、コントローラ１１０は、負荷１０６が電源１０２から切り離されるように、リレー１０４を開くことを決定することができる。このようにして、過電圧または過電流状態からの保護を負荷１０６に供給することができる。
【００２３】
これに代えてまたはそれに加えて、電流閾値モニタリングに基づいて電流モニタ１０８によって生成された任意の信号は、リレー１０４を直接制御することができ（例えば、リレー１０４を開くことができる）、またはアラーム信号を含むことができる。電流モニタ１０８によって生成されたアラーム信号は、可聴および／または視覚的な方法で、直接的または間接的にアラーム状態（例えば、電流閾値を超過）を信号することができる。
【００２４】
一般に、電流モニタ１０８は、通信信号、制御信号、またはアラーム信号、またはそれらの任意の組み合わせを生成することができる。電流モニタ１０８によって生成される任意の信号は、リレー１０４の電流が前述のように所定の電流閾値を超えるという検出に基づくことができる。
【００２５】
電流モニタ１０８によって生成された通信信号は、電力分配および制御システム１００の別の要素に供給され得る。通信信号は、リレー１０４における所定の閾値を超える電流に関する情報（例えば、リレー１０４における電流の状態の通知）を含むことができる。一例として、電流モニタ１０８は、通信信号を生成することができ、コントローラ１１０に通信信号を供給することができる。いくつかの実施形態では、コントローラ１１０はエンジン制御ユニット（ＥＣＵ）であり、電流モニタ１０８はコントローラエリアネットワーク（ＣＡＮ）またはローカル相互接続ネットワーク（ＬＩＮ）を介してコントローラ１１０に生成された通信信号を供給できる。
【００２６】
電流モニタ１０８によって生成された制御信号は、電力分配および制御システム１００の他の要素の動作を制御または影響を及ぼすために供給され得る。一例として、電流モニタは、リレー１０４における所定の閾値を超える電流に応答するリレー１０４の動作を調節する制御信号を生成する。
【００２７】
上述したように、電流モニタ１０８によって生成されたアラーム信号は、電力分配および制御システム１００のユーザにアラーム状態（例えば、所定の閾値を超えるリレー１０４の電流）をアラームするように意図された視覚的または可聴信号を含むことができる。
【００２８】
従来の電力分配および制御システムでは、電流モニタは通常、単一の電流センサを有する。一般に、単一の電流センサは、広い範囲の電流にわたって電流を効果的にモニタすることができない。例えば、より高感度の電流センサの多くは、高電流の状況では飽和状態になるが、高電流の状況に対応するように設計された電流センサは、低電流を効果的に測定するほどには感度がない。その結果、多くの従来の電力分配および制御システムは、効果的にモニタし、広範囲の電流レベルに適切に反応しない。
【００２９】
対照的に、電力分配および制御システム１００の電流モニタ１０８では、複合電流センサを使用することができる。例えば、上述したように、電流センサは異なる感度を有することができ、（例えば、単一の電流センサのみを使用する場合と比較して）より大きな感度範囲で電流をモニタリングすることができる。
【００３０】
図２は、例示的な電流モニタリングシステム２００を示す。電流モニタリングシステム２００は、リレー（例えば、リレー１０４）の一部および電流モニタ（例えば、電流モニタ１０８）を含むことができる。図２に示すように、図２に示すように、電流モニタリングシステム２００は、入力接続部またはスタッド２０２および出力接続部またはスタッド２０４を含むことができる。入力スタッド２０２は、電力供給（例えば、電源１０２）の第一の部分または要素に接続することができる。出力スタッド２０４は、負荷（例えば、負荷１０６）の第一の部分または要素に接続することができる。
【００３１】
図２に示されるように、電流モニタリングシステム２００は、第一固定導体またはバスバー２０６および第二固定導体またはバスバー２０８を含むことができる。バスバー２０６は、入力スタッド２０２に結合することができ、バスバー２０８は出力スタッド２０４に結合することができる。可動バスバーまたは導体２１０はバスバー２０６とバスバー２０８との間に結合することができる。
【００３２】
可動バスバーまたは接点２１０は、バスバー２０６とバスバー２０８との間の電気的接続性を決定することができる。電流モニタリングシステム２００の通常動作中、電流（例えば、リレー１０４の電流）は入力スタッド２０２から、バスバー２０６、可動導体２１０、バスバー２０８、および出力スタッド２０４へと供給される。過電圧または過電流状態が検出または発生すると、可動導体２１０はバスバー２０６およびバスバー２０８から切断されることができ、それによって入力スタッド２０２から出力スタッド２０４への電流の流れを遮断する。一例として、バスバー２０６およびバスバー２０８からの切断されるように、可動導体２１０は（図２に図示されるように電流モニタリングシステム２００の向きに対して）垂直方向に動くことができるなっている。
【００３３】
電流モニタリングシステム２００は、ソレノイドまたはコイル２１２をさらに含むことができる。さらに、電流モニタリングシステム２００は、その上に電流モニタリングシステム２００の構成品要素を搭載することができるプリント回路基板（ＰＣＢ）２１４を含むことができる。入力スタッド２０２、出力スタッド２０４、バスバー２０６、バスバー２０８、可動導体２１０、およびソレノイドは、リレー（例えば、リレー１０４）の一部を形成することができる。いくつかの実施形態において、これらの要素は、例えばバッテリー（例えば、自動車バッテリー）などの電源に結合された主切断（メインディスコネクト（main disconnect））の一部を形成することができる。
【００３４】
図２に示すように、電流モニタリングシステム２００は、第一電流センサ２１６および第二電流センサ２１８を含むことができる。第一電流センサ２１６および第二電流センサ２１８は、磁気電流センサであり得る。いくつかの実施形態において、第一電流センサ２１６および第二電流センサ２１８は、ホールセンサ（Hall sensors）であってもよい。
【００３５】
第一電流センサ２１６および第二電流センサ２１８は、入力スタッド２０２と出力スタッド２０４との間に流れるほぼ同じ電流（例えば、リレーまたは電源電流）を測定するように配置または位置することができる。具体的には、第一電流センサ２１６はバスバー２０６を流れる電流を検出および／または測定するように配置され、第二電流センサ２１８はバスバー２０８を流れる電流を検出および／または測定するように配置される。図２に示すように、第一電流センサ２１６および第二電流センサ２１８は、バスバー２０６および２０８を含む側と反対側のＰＣＢ２１４の同じ側に配置することができる。第一電流センサ２１６および第二電流センサ２１８は、第一電流センサ２１６および第二電流センサ２１８が、バスバー２０６およびバスバー２０８を流れるほぼ同じ電流を測定するように、バスバー２０６およびバスバー２０８からそれぞれ同じ距離だけ離れて位置することができる。
【００３６】
第一電流センサ２１６および第二電流センサ２１８は、電流モニタ（例えば、電流モニタ１０８）の一部であってもよい。このように、電流モニタリングシステム２００は、図１に示されるようにリレー１０４および電流モニタ１０８のすべてまたは一部を表すことができるが、これに限定されない。すなわち、電流モニタリングシステム２００のリレー／回路保護要素および機能ならびに電流モニタリングシステム２００の電流検出要素および機能は、分離されることができ、図２に示されるように同じＰＣＢ上に組み合わされて配置されない。
【００３７】
第一電流センサ２１６および第二電流センサ２１８はそれぞれ、電流測定範囲および電流測定感度を有することができる。第一電流センサ２１６と第二電流センサ２１８の電流測定範囲と感度は異なっていてもよい。例えば、第一センサ２１６の電流測定範囲および電流感度は、第二センサ２１６の電流測定範囲および電流感度よりも大きくすることができる。一実施形態では、第一電流センサ２１６は、−３００Ａ〜３００Ａの電流測定範囲および１Ａの電流感度を有し、第二電流センサ２１８は−１００Ａ〜１００Ａの電流測定範囲および０．２５Ａの電流感度を有することができる。したがって、第一電流センサ２１６と第二電流センサ２１８は異なる感度レベルでバスバー２０６および２０８を通過する同じ電流を効果的に測定することができる。
【００３８】
第一電流センサ２１６および第二電流センサ２１８は、それぞれ、モニタリングのための一つまたは複数の所定の電流閾値を含むようにプログラムすることができる。所定の閾値は、それぞれ、第一および第二電流センサ２１６および２１８のそれぞれの電流測定範囲内にあることができる。例えば、第一電流センサ２１６はその電流測定範囲内の第一電流閾値に従って構成またはプログラムすることができ、かつ第二電流センサ２１８はその電流測定範囲内の第二電流閾値に従って構成またはプログラムすることができる。第一センサ２１６と第二センサ２１８の閾値は異なっていてもよい。第一および第二センサ２１６および２１８のそれぞれの閾値は、それぞれ、電流センサ２１６および２１８のための電流設定点であると考えることができる。
【００３９】
さらに、第一および第二電流センサ２１６および２１８は、測定される電流が特定の電流閾値を超える時間の量を決定するようにプログラムまたは設計することができる。特定の電流閾値に関連する量または時間の期間は、時間遅延またはトリガ遅延とみなすことができる。例えば、第一電流センサ２１６は、１５秒の関連する時間遅延で２５０Ａの所定の電流閾値をモニタすることができる。したがって、第一電流センサ２１６は、どれだけの長さ、それが検出または測定している電流が２５０Ａにほぼ等しいかそれを超えるかを決定することができる。検出された電流が少なくとも約１５秒間２５０Ａにほぼ等しいかまたはそれを超えると、第一電流センサ２１６はそれに応答して機能を実行することができる。一例として、第一電流センサ２１６は、所定の時間の量の間、電流設定点または閾値を超える検出電流を示す信号を生成することができる。
【００４０】
同様に、一例として、第二センサ２１８は、１分の関連する時間遅延で７５Ａの閾値をモニタすることができる。したがって、第二電流センサ２１８は、検出電流が約７５Ａに等しいかまたはそれを超える時間を決定することができる。検出電流が少なくとも１分間、７５Ａにほぼ等しいかそれを超えると、第二電流センサ２１８は、これに応答して機能を実行することができる。一例として、第二電流センサ２１８は、所定の時間の量の間、電流設定点または閾値を超える検出電流を示す信号を生成することができる。
【００４１】
上記の例では、第一電流センサ２１６の第一閾値に対応する第一時間遅延（１５秒）は、第二電流センサ２１８の第二閾値に対応する第二時間遅延（１分）よりも小さく、しかしながら、このような時間遅延に限定されない。一般に、感度の低いセンサ（例えば、高電流センサ）の閾値に関連する時間遅延は、より感度の高いセンサ（例えば、低電流センサ）の閾値に関連する時間遅延より短くてもよい。
【００４２】
特に第一および第二電流センサ２１６および２１８の異なる電流測定範囲および感度が与えられると、第一および第二電流センサ２１６および２１８を異なる電流閾値および対応する時間遅延に関連させることにより、第一および第二電流センサ２１６，２１８はより広い範囲の電流にわたって、より広い電流の操作条件範囲で、かつ、改善された感度で、電流の条件をより効果的にモニタすることができる。
【００４３】
また、第一および第二電流センサ２１６および２１８の一つまたは複数の電流閾値または電流設定点を予め決定することができる。さらに、各電流閾値に関連する時間遅延または時間の量（例えば、時間閾値）も予め決定することができる。いくつかの実施形態では、例えば、第一電流センサ２１６が、対応する閾値を超える電流に即座に反応する（すなわち、時間遅延がない）ように、時間遅延をほぼ０秒に設定することができる。
【００４４】
第一および第二電流センサ２１６および２１８は、それぞれ、バスバー２０６および２０８内の電流をそれぞれ連続的にモニタおよび測定することができる。この電流の測定値は、第一および第二電流センサ２１６および２１８によって（例えば、コントローラ１１０へ）連続的に報告され、および／またはメモリに格納される。さらに、第一および第二電流センサ２１６および２１８は、所定の閾値を超過したときを報告することができる。さらに、上述のように、第一および第二電流センサ２１６および２１８は、対応する所定の時間期間のための所定の閾値を超えたときを報告することもできる。
【００４５】
第一および第二電流センサ２１６，２１８は、上述したように、所定の時間の期間、所定の閾値を超えたことに応答して信号を生成することができる。信号は、図１に関連して上述したように、通信信号、制御信号、またはアラーム信号、またはそれらの任意の組み合わせとすることができる。一般に、電流モニタリングシステム２００は、任意の数のセンサを備えることができ、センサは、任意の数の電流設定点および対応する時間遅延トリガに関連付けることができる。
【００４６】
図３〜図６は、いくつかの観点における電流モニタリングシステム２００を示す。例えば、図３は、例示的な電流モニタリングシステム２００の第一斜視図を示し、図４は、例示的な電流モニタリングシステム２００の第二斜視図を示す。図３および図４は、入力スタッド２０２、出力スタッド２０４、バスバー２０６、バスバー２０８、可動導体２１０、ソレノイドまたはコイル２１２、およびＰＣＢ２１４の例示的な配置を示すために提供されている。
【００４７】
図５は、電流モニタリングシステム２００の底面図を示す。図５に示すように、第一電流センサ２１６および第二電流センサ２１８は、ＰＣＢ２１４の底面に取り付けられまたは実装され得る。第一電流センサ２１６および第二電流センサ２１８は、バスバー２０６および２０８（図５には示されていない）が配置される下部に位置することができる。そうすることで、バスバー２０６および２０８はほぼ同じ電流を流すかまたは伝導するので、第一電流センサ２１６および第二電流センサ２１８は、ほぼ同じ電流を検出および／または測定することができる。
【００４８】
図６は、電流モニタリングシステム２００の上面図を示す。図６は、ＰＣＢ２１４上のソレノイド２１２、バスバー２０６、バスバー２０８、入力スタッド２０２、および出力スタッド２０４の例示的な配置を示す。
【００４９】
図７は、二以上の電流センサ７００を用いて電流をモニタリングする方法の例示的なフローダイアグラムを示す。図７に示されるシステムは、電力分配および制御システム１００および／または電流モニタリングシステム２００を使用して実施することができる。
【００５０】
ステップ７０２では、二以上の電流センサの電流閾値または設定点を決定または設定することができる。各電流センサは、電流測定範囲および電流測定感度を有することができる。少なくとも二つの電流センサの電流測定範囲および電流測定感度は異なることができる。一以上の電流閾値を各電流センサに設定することができる。
【００５１】
ステップ７０４では、各電流センサの各電流閾値に対応する時間期間または時間遅延（または時間閾値）を決定または設定することができる。
【００５２】
ステップ７０６において、それぞれの電流閾値−時間期間ペアリングの応答アクションが、各電流センサに対して決定または設定されることができる。応答アクションは、所定の電流閾値のための対応する所定の時間期間をほぼ超える時間の期間、所定の電流閾値をほぼ超えるときに発生するアクションを指定してよい。応答アクションは、所定の時間期間、所定の電流閾値を超えたことを示す信号を生成することを含むことができる。生成された信号は、上述したように、アラーム信号、通信信号、または制御信号、またはそれらの任意の組み合わせとすることができる。
【００５３】
ステップ７０８で、二以上の電流センサが電流をモニタする。電流をモニタリングすることは、電流を連続的または定期的に測定することを含むことができ、さらに、電流測定値を連続的にまたは定期的に記憶することまたは電流測定値を報告することを含むことができる。二以上の電流センサは、同じ電流をモニタすることができる。例えば、二以上の電流センサは、一つまたは複数の導体を流れる同じ電流をほぼ測定するように配置または配置することができる。その際に、少なくとも電流測定範囲および感度を有する電流センサは、同じ電流の値を測定することができる。
【００５４】
ステップ７１０では、所定の応答アクションが実行される。ステップ７０６で設定することができる所定の応答アクションは、電流センサの所定の電流閾値が所定の時間閾値に対応する時間の量をほぼ超えたときに実行されることができる。
【００５５】
概して、本明細書に記載の電流モニタリングシステムおよび方法は、大きな電流範囲にわたってより効果的なモニタリングが達成されるように、異なる電流範囲および感度を有する二以上の電流センサを使用することによって改善された電流モニタリングを供給することができる。二以上の電流センサに対して異なる電流設定点および時間閾値を確立することによって、電流閾値モニタリングおよびそれに対する応答を供給することができる。本明細書に記載の技術は、電気機械ヒューズ、充電状態モニタリングシステム、高電流モニタリングシステム、および広範囲の電流のモニタリングから利益を得る他のシステムに適用することができる。
【００５６】
本開示は特定の実施形態を参照するが、添付の特許請求の範囲に定義される本開示の範囲から逸脱することなく、記載された実施形態に対する多数の修正、代替および変更が可能である。したがって、本開示は、記載された実施形態に限定されるものではなく、特許請求の範囲の文言およびその均等物によって定義される全範囲を有することが意図される。
【図１】
2019511189.tif 000003
【図２】
2019511189.tif 000004
【図３】
2019511189.tif 000005
【図４】
2019511189.tif 000006
【図５】
2019511189.tif 000007
【図６】
2019511189.tif 000008
【図７】
2019511189.tif 000009
【国際調査報告】
2019511189.tif 000010